(57)【特許請求の範囲】
【請求項１】
それぞれ特性の異なる第１の輝度調整手段と第２の輝度調整手段とによって表示装置の輝度調整を行う輝度調整装置であって、
輝度設定値を変更する指示である輝度変更情報の入力を受け付ける輝度設定部と、
前記輝度設定部から入力される指示に応じて、前記第１の輝度調整手段と前記第２の輝度調整手段のいずれかによって輝度調整を行う輝度調整部と、
前記輝度調整部の輝度調整が前記第１の輝度調整手段と前記第２の輝度調整手段とで切り替わるか否かを判定する判定部と、
前記判定部の判定結果に基づき、前記第１の輝度調整手段と前記第２の輝度調整手段とで切り替わると判定された場合に警報を出力する出力部と、
を有し、
前記輝度調整が前記第１の輝度調整手段と前記第２の輝度調整手段とで切り替わる場合における輝度設定値である基準値を記憶する記憶部を有し、
前記判定部は、前記輝度設定部から入力される輝度値の連続的な上げ下げを指示する輝度変更情報の輝度設定値と、前記記憶部に記憶された基準値とが一致するか否かを判定し、一致する場合に、前記輝度設定部から前記第１の輝度調整手段と前記第２の輝度調整手段とで輝度調整が切り替わる輝度設定値の入力がされたか否かを判定し、前記第１の輝度調整手段と前記第２の輝度調整手段とで輝度調整が切り替わる輝度設定値の入力がさらに入力された場合に、前記輝度調整部の輝度調整が前記第１の輝度調整手段と前記第２の輝度調整手段とで切り替わると判定する
ことを特徴とする輝度調整装置。
【請求項２】
前記出力部は、前記輝度調整装置が設けられる表示装置の画面上に警告を表示することを特徴とする請求項１記載の輝度調整装置。
【請求項３】
前記輝度調整部は、前記判定部の判定結果に基づき、前記第１の輝度調整手段と前記第２の輝度調整手段とで切り替わったと判定された場合に、前記輝度設定部から輝度変更情報が入力されていても、輝度の変更を停止することを特徴とする請求項１または請求項２記載の輝度調整装置。
【請求項４】
それぞれ特性の異なる第１の輝度調整手段と第２の輝度調整手段とによって輝度調整を行う表示装置であって、
輝度設定値を変更する指示である輝度変更情報の入力を受け付ける輝度設定部と、
前記輝度設定部から入力される指示に応じて、前記第１の輝度調整手段と前記第２の輝度調整手段のいずれかによって輝度調整を行う輝度調整部と、
前記輝度調整部の輝度調整が前記第１の輝度調整手段と前記第２の輝度調整手段とで切り替わるか否かを判定する判定部と、
前記判定部の判定結果に基づき、前記第１の輝度調整手段と前記第２の輝度調整手段とで切り替わると判定された場合に警報を出力する出力部と、
を有し、
前記輝度調整が前記第１の輝度調整手段と前記第２の輝度調整手段とで切り替わる場合における輝度設定値である基準値を記憶する記憶部を有し、
前記判定部は、前記輝度設定部から入力される輝度値の連続的な上げ下げを指示する輝度変更情報の輝度設定値と、前記記憶部に記憶された基準値とが一致するか否かを判定し、一致する場合に、前記輝度設定部から前記第１の輝度調整手段と前記第２の輝度調整手段とで輝度調整が切り替わる輝度設定値の入力がされたか否かを判定し、前記第１の輝度調整手段と前記第２の輝度調整手段とで輝度調整が切り替わる輝度設定値の入力がさらに入力された場合に、前記輝度調整部の輝度調整が前記第１の輝度調整手段と前記第２の輝度調整手段とで切り替わると判定する
ことを特徴とする表示装置。
【請求項５】
それぞれ特性の異なる第１の輝度調整手段と第２の輝度調整手段とによって輝度調整を行うコンピュータを、
輝度設定値を変更する指示である輝度変更情報の入力を受け付ける輝度設定手段、
前記輝度設定手段から入力される指示に応じて、前記第１の輝度調整手段と前記第２の輝度調整手段のいずれかによって輝度調整を行う調整手段、
前記調整手段の輝度調整が前記第１の輝度調整手段と前記第２の輝度調整手段とで切り替わるか否かを判定する判定手段、
前記判定手段の判定結果に基づき、前記第１の輝度調整手段と前記第２の輝度調整手段とで切り替わると判定された場合に警報を出力する出力手段、
として機能させ、
前記判定手段が、前記輝度設定手段から入力される輝度値の連続的な上げ下げを指示する輝度変更情報の輝度設定値と、前記輝度調整が前記第１の輝度調整手段と前記第２の輝度調整手段とで切り替わる場合における輝度設定値である基準値を記憶する記憶部に記憶された基準値とが一致するか否かを判定し、一致する場合に、前記輝度設定手段から前記第１の輝度調整手段と前記第２の輝度調整手段とで輝度調整が切り替わる輝度設定値の入力がされたか否かを判定し、前記第１の輝度調整手段と前記第２の輝度調整手段とで輝度調整が切り替わる輝度設定値の入力がさらに入力された場合に、前記輝度調整手段の輝度調整が前記第１の輝度調整手段と前記第２の輝度調整手段とで切り替わると判定する
ことを特徴とするプログラム。
【請求項６】
それぞれ特性の異なる第１の輝度調整手段と第２の輝度調整手段とによって輝度調整を行う輝度調整方法であって、
輝度設定部が、輝度設定値を変更する指示である輝度変更情報の入力を受け付ける輝度設定ステップと、
輝度調整部が、前記輝度設定ステップによって入力される指示に応じて、前記第１の輝度調整手段と前記第２の輝度調整手段のいずれかによって輝度調整を行う調整ステップと、
判定部が、前記調整ステップの輝度調整が前記第１の輝度調整手段と前記第２の輝度調整手段とで切り替わるか否かを判定する判定ステップ、
出力部が、前記判定ステップの判定結果に基づき、前記第１の輝度調整手段と前記第２の輝度調整手段とで切り替わると判定された場合に警報を出力する出力ステップ、
を実行し、
前記判定部は、前記輝度設定部から入力される輝度値の連続的な上げ下げを指示する輝度変更情報の輝度設定値と、前記輝度調整が前記第１の輝度調整手段と前記第２の輝度調整手段とで切り替わる場合における輝度設定値である基準値を記憶する記憶部に記憶された基準値とが一致するか否かを判定し、一致する場合に、前記輝度設定部から前記第１の輝度調整手段と前記第２の輝度調整手段とで輝度調整が切り替わる輝度設定値の入力がされたか否かを判定し、前記第１の輝度調整手段と前記第２の輝度調整手段とで輝度調整が切り替わる輝度設定値の入力がさらに入力された場合に、前記輝度調整部の輝度調整が前記第１の輝度調整手段と前記第２の輝度調整手段とで切り替わると判定する
ことを特徴とする輝度調整方法。
【発明の詳細な説明】
【技術分野】
【０００１】
本発明は、映像信号調整やバックライト調整等の特性の異なる調整手段を用いて輝度調整を行う輝度調整装置、表示装置、プログラム、輝度調整方法に関する。
【背景技術】
【０００２】
従来から、表示装置の画面輝度は、室内の明るさや視聴者の好みにあわせて“明るい〜暗い”まで幅広い調整範囲が望まれている。表示装置のうち、液晶ディスプレイにおいては、例えば、画面の輝度を調整する手法として、「バックライト(B/L)調整」と「映像信号調整」の二種類がある。
映像信号調整の手法によって輝度を調整する場合、画面に表示された映像に対し、例えば、階調を変更することによって輝度調整を行っている。この映像信号調整を行った場合には、画質の劣化を伴うので、極力利用しないことが望ましい。一方、B/L調整は、光源を調光することによって、輝度調整を行っている。
ここで、B/L調整は、表示された映像の画質劣化が少ないというメリットがあるが、その反面、輝度を調整可能な範囲が狭いので、一定以上暗くまたは明るくできない。
そこで、下記の特許文献１の技術に示すように、映像信号調整とB/L調整とを組み合わせて輝度の調整を行うものが提案されている。
【特許文献１】特開平１１−０１９４７３６号公報
【発明の開示】
【発明が解決しようとする課題】
【０００３】
しかしながら、特許文献１に示す液晶表示装置においては、映像信号調整とB/L調整とのうち、映像信号調整を行った場合には、白潰れや黒浮き、色数の減少といった画質劣化を伴う。このため、表示映像の階調を重要視するユーザにとっては、映像信号調整とB/L調整とを組み合わせた輝度調整を行うにあたり、B/L調整を行っていると思っているにもかかわらず、映像信号調整を行ってしまうと、画質劣化を発生させてしまうという問題がある。また、ここでは、画質劣化を発生しない最大・最小輝度に設定したいという要望もあるため、調整方法が変わる輝度をユーザに知らせられることが望ましい。
【０００４】
本発明は、このような事情に鑑みてなされたもので、その目的は、輝度調整を行う際、特性が異なる輝度調整に切り替わるか否かをユーザに通知することができる輝度調整装置、表示装置、プログラム、輝度調整方法を提供することにある。
【課題を解決するための手段】
【０００５】
上述した課題を解決するために、第１の発明は、それぞれ特性の異なる第１の輝度調整手段と第２の輝度調整手段とによって表示装置の輝度調整を行う輝度調整装置であって、輝度設定値を変更する指示である輝度変更情報の入力を受け付ける輝度設定部と、前記輝度設定部から入力される指示に応じて、前記第１の輝度調整手段と前記第２の輝度調整手段のいずれかによって輝度調整を行う輝度調整部と、前記輝度調整部の輝度調整が前記第１の輝度調整手段と前記第２の輝度調整手段とで切り替わるか否かを判定する判定部と、前記判定部の判定結果に基づき、前記第１の輝度調整手段と前記第２の輝度調整手段とで切り替わると判定された場合に警報を出力する出力部と、を有することを特徴とする。
【０００６】
また、第２の発明は、前記出力部は、前記輝度調整装置が設けられる表示装置の画面上に警告を表示することを特徴とする。
【０００７】
また、第３の発明は、前記輝度調整部は、前記判定部の判定結果に基づき、前記第１の輝度調整手段と前記第２の輝度調整手段とで切り替わったと判定された場合に、前記輝度設定部から輝度変更情報が入力されていても、輝度の変更を停止することを特徴とする。
【０００８】
また、第４の発明は、前記輝度調整が前記第１の輝度調整手段と前記第２の輝度調整手段とで切り替わる場合における輝度設定値である基準値を記憶する記憶部を有し、前記判定部は、前記輝度設定値から入力される輝度変更情報の輝度設定値と前記記憶部に記憶された基準値とが一致するか否かを判定し、一致する場合に、前記輝度設定部から前記第１の輝度調整手段と前記第２の輝度調整手段とで輝度調整が切り替わる輝度設定値の入力がされたか否かを判定し、前記第１の輝度調整手段と前記第２の輝度調整手段とで輝度調整が切り替わる輝度設定値の入力がさらに入力された場合に、前記輝度調整部の輝度調整が前記第１の輝度調整手段と前記第２の輝度調整手段とで切り替わると判定することを特徴とする。
【０００９】
また、第５の発明は、それぞれ特性の異なる第１の輝度調整手段と第２の輝度調整手段とによって輝度調整を行う表示装置であって、輝度設定値を変更する指示である輝度変更情報の入力を受け付ける輝度設定部と、前記輝度設定部から入力される指示に応じて、前記第１の輝度調整手段と前記第２の輝度調整手段のいずれかによって輝度調整を行う輝度調整部と、前記輝度調整部の輝度調整が前記第１の輝度調整手段と前記第２の輝度調整手段とで切り替わるか否かを判定する判定部と、前記判定部の判定結果に基づき、前記第１の輝度調整手段と前記第２の輝度調整手段とで切り替わると判定された場合に警報を出力する出力部と、を有することを特徴とする。
【００１０】
また、第６の発明は、それぞれ特性の異なる第１の輝度調整手段と第２の輝度調整手段とによって輝度調整を行うコンピュータを、輝度設定値を変更する指示である輝度変更情報の入力を受け付ける輝度設定手段、前記輝度設定手段から入力される指示に応じて、前記第１の輝度調整手段と前記第２の輝度調整手段のいずれかによって輝度調整を行う調整手段、前記調整手段の輝度調整が前記第１の輝度調整手段と前記第２の輝度調整手段とで切り替わるか否かを判定する判定手段、前記判定手段の判定結果に基づき、前記第１の輝度調整手段と前記第２の輝度調整手段とで切り替わると判定された場合に警報を出力する出力手段、として機能させるためのプログラムである。
【００１１】
また、第７の発明は、それぞれ特性の異なる第１の輝度調整手段と第２の輝度調整手段とによって輝度調整を行う輝度調整方法であって、輝度設定値を変更する指示である輝度変更情報の入力を受け付ける輝度設定ステップと、前記輝度設定ステップによって入力される指示に応じて、前記第１の輝度調整手段と前記第２の輝度調整手段のいずれかによって輝度調整を行う調整ステップと、前記調整ステップの輝度調整が前記第１の輝度調整手段と前記第２の輝度調整手段とで切り替わるか否かを判定する判定ステップ、前記判定ステップの判定結果に基づき、前記第１の輝度調整手段と前記第２の輝度調整手段とで切り替わると判定された場合に警報を出力する出力ステップ、を実行する輝度調整方法である。
【発明の効果】
【００１２】
以上説明したように、この発明によれば、輝度の変更が入力され、輝度調整が第１の輝度調整手段から第２の輝度調整手段に切り替わるか否かを判定し、第１の輝度調整手段から第２の輝度調整手段に切り替わる場合に、警報を行うようにした。これにより、特性の異なる輝度調整手段に切り替わることをユーザに通知することができる。
【発明を実施するための最良の形態】
【００１３】
以下、本発明の一実施形態による輝度調整装置について図面を参照して説明する。図１は、この発明の一実施形態による輝度調整装置を適用した液晶表示装置の構成を示す概略ブロック図である。
液晶表示装置１は、ビデオデータ入力部１０と、輝度設定部２０と、制御部３０、液晶表示部４０とを有する。ここで、輝度設定部２０、制御部３０の組み合わせが輝度調整装置に相当する。
ビデオデータ入力部１０は、画像データに応じた映像信号を制御部３０に出力する。輝度設定部２０は、液晶表示装置１に設けられたスイッチを介して入力される、輝度設定値を変更する指示である輝度変更情報の入力を受け付ける。この入力は、例えば、現在設定されている輝度設定値を増加（上げる）させるボタンや輝度設定値を減少（下げる）ボタンがユーザによって押下されることにより、その押下されたボタンに応じた信号が制御部３０に対して入力されることによって行われる。
【００１４】
制御部３０は、輝度設定部２０によって入力される輝度の設定値に従った輝度調整を行い、ビデオデータ入力部１０から出力された映像信号に応じた画像を液晶表示部４０に表示させる。ここで、輝度調整手段は、種々あるが、この実施形態においては、輝度調整としては、ビデオデータ入力部１０から入力される映像信号の階調を上げる、または下げることに行う映像信号調整と、バックライトの明るさを上げる、または下げることによるバックライト調整との調整方法を適用した場合を一例として説明する。
液晶表示部４０は、液晶表示パネルが設けられており、制御部３０からの指示に応じた輝度に従い、画像を表示する。
【００１５】
次に、制御部３０において、記憶部３１は、輝度調整がバックライト調整から映像信号調整に切り替わる場合における輝度設定値である輝度基準値を記憶する。この輝度設定値は、例えば、０〜１００％まであり、このうちいずれかの値が輝度基準値として設定されている。
【００１６】
ＭＰＵ３２は、液晶表示装置１の各部を制御する機能を有するとともに、輝度設定部２０から入力される指示によって、映像信号調整とバックライト調整のいずれかによって輝度調整を行う機能と、輝度調整部２０の輝度調整がバックライト調整から映像信号調整に切り替わるか否かを判定する機能とを有する。
また、ＭＰＵ３２は、バックライト調整から映像信号調整に切り替わったと判定した場合に、輝度設定部２０から輝度変更情報が入力されていても、輝度の変更を停止する機能と、輝度設定値２０から入力される輝度変更情報の輝度設定値と記憶部３１に記憶された輝度基準値とが一致するか否かを判定し、一致する場合に、輝度設定部２０から映像信号調整による輝度調整を行う輝度設定値の入力がされたか否かを判定し、映像信号調整による輝度調整を行う輝度設定値の入力がされた場合に、輝度調整部２０の輝度調整がバックライト調整から映像信号に切り替わることを検出する機能と、を有する。このＭＰＵ３２が、上述の輝度調整部、判定部、に相当する。
【００１７】
映像信号コントローラ３３は、ビデオデータ入力部１０から入力される映像信号をＯＳＤ（オンスクリーンディスプレイ）機能部３５に出力する。また、映像信号コントローラ３３は、ＭＰＵ３２から映像信号調整の指示が入力された場合、その指示に応じて映像信号の階調を変更してＯＳＤ機能部３５に出力する。
バックライトコントローラ３４は、ＭＰＵ３２からの指示に応じて、バックライト駆動部４１を駆動する制御信号を変更する。この制御信号としては、例えば、液晶表示部４０のバックライトが電流調光型である場合には、供給する電流の実効値を変更する。また、光源がＬＥＤである場合には、供給する電圧のパルス幅の変更や、電圧のピーク値の変更をする。
【００１８】
ＯＳＤ機能部３５は、映像信号コントローラ３３から出力される映像信号をＬＣＤ駆動部４２に出力し、ＬＣＤ駆動部４２によって液晶パネルを駆動させて各種情報の表示を行う。また、ＯＳＤ機能部３５は、輝度設定部２０から輝度の変更指示が入力された場合等、各種設定画面を表示する必要がある場合に、ＯＳＤ機能によって、この映像信号による画像上に設定画面を重ねて表示させる映像信号をＬＣＤ駆動部４２に出力する。
【００１９】
また、ＯＳＤ機能部３５は、ＭＰＵ３２の判定結果に基づき、ＭＰＵ３２がバックライト調整から映像信号調整に切り替わると判定した場合に警報を出力する。この警報の出力方法としては、例えば、液晶表示部４０の画面上のいずれかの位置に警告を出力したり、あるいは、ＯＳＤ画面上に警告を出力したり、ＯＳＤに表示された調整スライダーの表示色を変えることがあげられる。このＯＳＤ機能部３５が、上述の出力部に相当する。
【００２０】
液晶表示部４０は、バックライト駆動部４１とＬＣＤ駆動部４２とを有し、これら駆動部からの指示に応じて画像を液晶パネル上に表示する。バックライト駆動部４１は、バックライトコントローラ３４から供給される制御信号に応じた明るさになるようにバックライトを点灯させる。ＬＣＤ駆動部４２は、ＯＳＤ機能部３５から出力される映像信号に従い、液晶パネル駆動して画像を表示する。
【００２１】
図２は、記憶部３１に記憶されるデータの一例を示す図である。この図において、記憶部３１は、映像信号調整を行う場合の映像信号輝度調整データ（図２（符号（ａ）））と、バックライト調整を行う場合のバックライト輝度調整データ（図２（符号（ｂ）））とを記憶する。
映像信号輝度調整データは、輝度設定値（Brightness）と映像信号ゲインとが対応付けされて記憶され、バックライト輝度調整データは、輝度設定値Brightness）とバックライトデューティ比とが対応付けされて記憶されている。
映像信号輝度調整データとバックライト輝度調整データの輝度設定値には、輝度を映像信号調整とバックライト調整とのうちいずれを行うかを示す基準値PとQとが記憶されている。輝度設定値が０から基準値P未満までの間は、映像信号調整によって輝度調整を行い、基準値Pから基準値Qの間は輝度調整をバックライト調整にて行い、基準値Qを超えた値から１００までの間は、輝度調整を映像信号調整にて行う。このように、輝度設定値を０から１００までの間において、輝度調整の指示をすることによって、映像信号調整とバックライト調整とのうちいずれか一方の調整方法によって調整することとが可能であり、基準値Pと基準値Qがその調整方法が切り替わる輝度設定値に対応している。
【００２２】
次に、上述の輝度調整装置の動作を図３のフローチャートを用いて説明する。
ここでは、初期値として、輝度値が基準値Pと基準値Qとの間の輝度設定値が初期値として設定されている場合について説明する。
まず、ＭＰＵ３２は、輝度設定部２０からの輝度変更の指示の入力の有無を監視し（ステップＳ１）、輝度調整の指示が入力されているか否かを判定する（ステップＳ２）。輝度調整の指示が入力されていなければ、ステップＳ１に移行し、輝度調整の指示が入力されていれば、入力された輝度調整の指示すなわち、指示された輝度設定値が基準値Pの値と一致するか否かを判定する（ステップＳ３）。入力された輝度設定値が基準値Pと一致する場合には、入力された輝度設定値が、現在の輝度設定値よりも減少する値であるか否かを判定し（ステップＳ４）、減少する値である場合に、ＯＳＤ機能部３５に対して警報を行うように指示を出力する（ステップＳ５）。これにより、ＯＳＤ機能部３５によって、液晶表示部４０にＯＳＤ機能によって警報が表示される。警報を出力した後、ＭＰＵ３２は、入力された輝度設定値に応じた輝度への変更を行う（ステップＳ６）。
【００２３】
一方、ステップＳ３において、入力された輝度設定値が基準値Pと一致していない場合、この輝度設定値が基準値Qと一致するか否かを判定する（ステップＳ７）。入力された輝度設定値が基準値Qと一致しない場合には、入力された輝度設定値を現在の輝度設定値とし、この輝度設定値の輝度になるように輝度調整を行う（ステップＳ６）。一方、入力された輝度設定値が基準値Qと一致する場合には、入力された輝度設定値が、現在設定されている輝度設定値よりも増加する値であるか否かを判定し（ステップＳ８）、増加する値である場合に、ＯＳＤ機能部３５に対して警報を行うように指示を出力する（ステップＳ５）。これにより、ＯＳＤ機能部３５によって、液晶表示部４０にＯＳＤ機能によって警報が表示される。警報を出力した後、ＭＰＵ３２は、入力された輝度設定値に応じた輝度への変更を行う（ステップＳ６）。
【００２４】
このように、ステップＳ４においてＹＥＳと判定された場合および、ステップＳ８においてＹＥＳと判定された場合に、輝度調整がバックライト調整から映像信号調整に切り替わることが検出されて、警報が行われる。これにより、映像信号調整による輝度調整が行われることをユーザに対して通知することができる。
【００２５】
なお、以上説明した実施形態において、警報を行った直後に輝度変更をせず、一定時間、輝度設定値の変更の入力を受け付けない、あるいは、一定の操作が入力されるまで輝度設定値の変更の入力を受け付けないようにしてもよい。
例えば、輝度設定部２０の「輝度低下」ボタンが押下され、「輝度低下」を示す輝度設定値の入力がなされると、映像信号調整による輝度調整を開始する直前で警報を行っておき、ユーザが輝度設定部２０の「輝度低下」のボタンを離し、もう一度「輝度低下」のボタンを押下したら、映像信号調整による輝度減少をさせる輝度調整を行う。
また、ユーザが輝度設定部２０の「輝度低下」のボタンが押下し続けられ、「輝度低下」を示す輝度設定値の入力がなされると、映像信号調整による輝度調整を開始する直前で警報を行っておき、ユーザが輝度設定部２０の「輝度低下」のボタンをさらに押し続け、一定時間が経過した場合に、映像信号調整による輝度減少をさせる輝度調整を行う。
これにより、映像信号調整による輝度調整が開始されたことをユーザに認識させて輝度調整を行うことが可能となる。
【００２６】
また、以上説明した実施形態においては、バックライト調整から映像信号調整に切り替わる場合に警報する場合について説明したが、映像信号調整からバックライト調整に切り替わる場合に警報を行うようにしてもよい。例えば、バックライト調整と映像信号調整とのそれぞれの方法が受け持つ範囲の設定値を輝度調整方法に対応づけて記憶部に記憶しておき、輝度設定値が入力された場合に、設定値入力前の輝度調整方法と設定値入力後の輝度調整方法とが切り替わるか否かを判定し、切り替わる場合に警報を行うようにしてもよい。これにより、映像信号調整からバックライト調整に切り替わることも通知することができ、画質劣化を発生しない最大あるいは最小輝度の設定であることを知らせることができる。
なお、ユーザから入力される輝度設定値は、必ずしも連続的な上げ下げのボタン操作による入力であるとは限らないので、輝度基準値をまたぐ輝度目標値が目標として直接入力された場合には、その入力された値が、入力前後において輝度調整方法が切り替わる範囲の輝度設定値であるのかを判定する。
【００２７】
また、以上説明した実施形態において、輝度調整方法は、映像信号調整とバックライト調整との２種類を適用した場合について説明したが、これら以外の輝度調整方法を適用するようにしてもよい。
この輝度調整方法は、表示デバイスによってもその方法が異なるが、例えば、液晶ディスプレイであれば、上述したように、「バックライト調整」と「階調調整（映像信号調整）」が一例としてあげられるが、プラズマディスプレイなら「放電電圧」と「放電時間調整（映像信号調整）」が一例としてあげられる。それぞれ前者は、階調減少などの画質劣化が少ないが、バックライトを暗くしすぎるとちらつきや不点灯となるので、一定範囲内での輝度調整を行い、必要に応じて、他方の調整方法を利用した調整を行う。放電電圧による輝度調整を行う場合には、放電電圧を一定値以下に下げると放電がとまってしまうので、放電が行われる範囲内での輝度調整を行い、必要に応じて、放電時間調整（映像信号調整）に切り替えて輝度調整を行う。
【００２８】
また、図１における液晶表示装置１の機能を実現するためのプログラムをコンピュータ読み取り可能な記録媒体に記録して、この記録媒体に記録されたプログラムをコンピュータシステムに読み込ませ、実行することにより輝度調整を行ってもよい。なお、ここでいう「コンピュータシステム」とは、ＯＳや周辺機器等のハードウェアを含むものとする。
【００２９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００３０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３１】
【図１】この発明の一実施形態による輝度調整装置を適用した液晶表示装置の構成を示す概略ブロック図である。
【図２】記憶部３１に記憶されるデータの一例を示す図である。
【図３】輝度調整装置の動作を説明するフローチャートである。
【符号の説明】
【００３２】
１  液晶表示装置                            １０  ビデオデータ入力部
２０  輝度設定部                            ３０  制御部
３１  記憶部                                ３２  ＭＰＵ
３３  ビデオゲインコントロール              ３４  バックライトコントローラ
３５  ＯＳＤ機能部                          ４０  液晶表示部
４１  バックライト駆動部                    ４２  ＬＣＤ駆動部
【図１】
0004788005.tif 000002
【図２】
0004788005.tif 000003
【図３】
0004788005.tif 000004